(57)【要約】      （修正有）【課題】入射角がブリュースター角付近になると発生する低反射及び偏光サングラスの視界が不鮮明になる現象を解決させ、水滴の影響により画面が歪む問題を解決させるゴースト防止の反射装置および表示システムを提供する。【解決手段】ゴースト防止の反射装置は第１ガラス５１と第２ガラス５２の間に設置され、第一表面１１及び第二表面１２を有し、反射面を発生させる反射中間層１と、反射中間層の第一表面上に設置される第一半波シート２と、第二表面下に設置される第二半波シート３とを備える。ゴースト防止の表示システムは２つの半波シート内に挟まれる反射中間層が使用され、映像装置から射出されるブリュースター入射角での反射率が０に近いＰ偏光イメージライトと組み合わせられる。【選択図】図５
0003210903.tif 000002
【実用新案登録請求の範囲】
【請求項１】
第一表面及び第二表面を有し、反射面を発生させるための反射中間層と、
前記反射中間層の第一表面上に設置される第一半波シートと、
前記反射中間層の第二表面下に設置される第二半波シートと、を備えることを特徴とする、
ゴースト防止の反射装置。
【請求項２】
前記反射中間層は透明であり、且つ前記第一半波シート及び前記第二半波シートに対してより高い屈折率を有する層であることを特徴とする、請求項１に記載のゴースト防止の反射装置。
【請求項３】
前記反射中間層は透明であり、且つ前記第一半波シート及び前記第二半波シートに対してより低い屈折率を有する層であることを特徴とする、請求項１に記載のゴースト防止の反射装置。
【請求項４】
前記第一半波シートと前記反射中間層との間に設置される中間層を更に備えることを特徴とする、請求項１に記載のゴースト防止の反射装置。
【請求項５】
前記反射中間層と前記第二半波シートとの間に設置される中間層を更に備えることを特徴とする、請求項１に記載のゴースト防止の反射装置。
【請求項６】
中間層中に設置されることを特徴とする、請求項１に記載のゴースト防止の反射装置。
【請求項７】
ゴースト防止の反射装置と、映像装置を具備するゴースト防止の表示システムであって、
前記ゴースト防止の反射装置は、第一表面及び第二表面を有し、反射面を発生させるために用いられる反射中間層と、前記反射中間層の第一表面上に設置される第一半波シートと、前記反射中間層の第二表面下に設置される第二半波シートとを含み、且つ前記ゴースト防止の反射装置は、第一ガラスと第二ガラスとの間に設置され、前記第一ガラス及び前記第二ガラスは車両のフロントガラスであり、
映像装置は、Ｐ偏光イメージライトを投射することに用いられ、
前記Ｐ偏光イメージライトが前記第二半波シートと前記反射中間層の第二表面との界面箇所を経由させる際に、前記Ｐ偏光イメージライトがＳ偏光イメージライトに変換され、前記Ｓ偏光イメージライトは前記反射中間層の前記第二表面で反射される部分がＳ１偏光イメージライトとなり、前記Ｓ１偏光イメージライトが前記第二半波シートと前記第二ガラスとの界面箇所を経由させる際に、前記Ｓ１偏光イメージライトがＰ１偏光イメージライトに変換され、前記Ｐ１偏光イメージライトが前記第二ガラスを透過させ、人の目の方向に射出され、前記Ｓ偏光イメージライトは前記反射中間層の第一表面で反射される部分がＳ２偏光イメージライトとなり、前記Ｓ２偏光イメージライトが前記第二半波シートと前記第二ガラスとの界面箇所を経由させる際に、前記Ｓ２偏光イメージライトがＰ２偏光イメージライトに変換され、前記Ｐ２偏光イメージライトが前記第二ガラスを透過させ、人の目の方向に射出される映像装置から投射されることを特徴とする、
ゴースト防止の表示システム。
【請求項８】
前記ゴースト防止の反射装置は、前記第一半波シートと前記反射中間層との間に設置される中間層を更に備えることを特徴とする、請求項７に記載のゴースト防止の表示システム。
【請求項９】
前記ゴースト防止の反射装置は、前記反射中間層と前記第二半波シートとの間に設置される中間層を更に備えることを特徴とする、請求項７に記載のゴースト防止の表示システム。
【請求項１０】
前記ゴースト防止の反射装置は中間層中に設置されることを特徴とする、請求項７に記載のゴースト防止の表示システム。
【考案の詳細な説明】
【技術分野】
【０００１】
本考案は、防ゴースト反射設備に関し、より詳しくは、２つの半波シート内に挟まれる反射中間層が使用され、Ｐ偏光イメージライトと組み合わせられ、入射角がブリュースター角付近になると発生する低反射及び偏光サングラスの視界が不鮮明になる現象を解決させ、水滴の影響により画面が歪む問題を解決させるゴースト防止の反射装置に関する。
【背景技術】
【０００２】
現在車両に使用されるヘッドアップディスプレイ技術には、飛行機に使用されるヘッドアップディスプレイのような複雑さはない。光学システムであり、一般的にはプロジェクター及び重畳レンズの２つの主要な装置で構成される。プロジェクターは画像光源、投影レンズ、及び他の光学素子で構成される。プロジェクターの画像光源は、ＬＣＤ液晶ディスプレイまたはＣＲＴブラウン管等の装置で構成され、画像光源から光線を発し、その後プロジェクターからガラス上の重畳レンズ（または特製の透明スクリーン上）に投射され、重畳レンズにより文字や画像が表示される。
【先行技術文献】
【特許文献】
【０００３】
【特許文献１】台湾実用新案第Ｉ４２２８６０号公報
【特許文献２】台湾実用新案第１５９１２２号公報
【特許文献３】台湾実用新案第３９３５８２号公報
【特許文献４】台湾実用新案第Ｉ２６６０７５号公報
【特許文献５】台湾実用新案第Ｉ２７４６８３号公報
【特許文献６】台湾実用新案第Ｉ２７８６５１号公報
【特許文献７】台湾実用新案第Ｍ３５５８４１号公報
【特許文献８】台湾実用新案第Ｍ４３７２８１号公報
【特許文献９】台湾実用新案第Ｍ３７５６２９号公報
【特許文献１０】台湾実用新案第２０１０２２７３４号公報
【考案の概要】
【考案が解決しようとする課題】
【０００４】
図１は従来の車両用のフロントガラスの表示パネルであり、光源Ｌから同じ厚さのガラスＧ１の両面に投射される投射映像経路Ｌ１と反射映像経路Ｌ２とは異なり、ガラスの両面に仮想映像Ｄ１及び仮想映像Ｄ２がそれぞれ発生し、人の目Ｅ１で２つの映像Ｄ１及び映像Ｄ２を見た場合にゴーストの問題が発生する。
【０００５】
図２は半波シートにＳ偏光イメージライトが組み合わせられることによりゴーストの問題を解決させる。ブリュースター角の関係により、Ｐ偏光イメージライトがフロントガラスで得られる反射率が０に近付くが、Ｓ偏光イメージライトが使用されることで、偏光サングラスの視界が不鮮明になる。
【０００６】
図３は半波シートにＰ偏光イメージライトが組み合わせられることによりブリュースター角で低反射及び偏光サングラスの視界が不鮮明になる問題を解決させる。反射層はフロントガラスの最外層に位置されるため、水滴の影響を受けてしまい、雨天時に映像が歪む（図４参照）。
【０００７】
現在の車両に応用される従来の表示装置として、特許文献１乃至特許文献１０等を参照する。
【０００８】
本考案者は上記の欠点が改善可能と考え、鋭意検討を重ねた結果、合理的設計で上記の課題を効果的に改善する本考案の提案に到った。
【０００９】
本考案は、このような従来の問題に鑑みてなされたものである。上記課題解決のため、２つの半波シート内に挟まれる反射中間層が使用され、Ｐ偏光イメージライトが組み合わせられることにより、入射角がブリュースター角付近になると発生する低反射及び偏光サングラスの視界が不鮮明になる現象、及び水滴の影響により画面が歪む問題を解決させる。
【課題を解決するための手段】
【００１０】
上述した課題を解決し、目的を達成するために、本考案は、第一表面及び第二表面を有し、反射面を発生させるための反射中間層と、反射中間層の第一表面上に設置される第一半波シートと、反射中間層の第二表面下に設置される第二半波シートとを備える、ゴースト防止の反射装置を提供することを目的とする。
【００１１】
さらに、本考案のゴースト防止の表示システムは、ゴースト防止の反射装置及び映像装置を備え、ゴースト防止の反射装置は、第一表面及び第二表面を有し、反射面を発生させるための反射中間層と、反射中間層の第一表面上に設置される第一半波シートと、反射中間層の第二表面下に設置される第二半波シートとを更に含む。ゴースト防止の反射装置は第一ガラスと第二ガラスとの間に設置され、映像装置から投射されるＰ偏光イメージライトは、Ｐ偏光イメージライトの入射角はブリュースター角であり、Ｐ偏光イメージライトは第二ガラスで０に近い反射率が得られる。Ｐ偏光イメージライトは前記第二ガラスを透過させ、Ｐ偏光イメージライトは第二半波シートと反射中間層の第二表面との界面箇所を経由させる際に、Ｐ偏光イメージライトがＳ偏光イメージライトに変換される。Ｓ偏光イメージライトは反射中間層の第二表面で反射される部分がＳ１偏光イメージライトとなり、Ｓ１偏光イメージライトは第二半波シートと第二ガラスとの界面箇所を経由させる際に、Ｓ１偏光イメージライトがＰ１偏光イメージライトに変換される。Ｐ１偏光イメージライトは第二ガラスを透過させ、人の目の方向に射出される。Ｓ偏光イメージライトは反射中間層の第一表面で反射される部分がＳ２偏光イメージライトとなり、Ｓ２偏光イメージライトは第二半波シートと第二ガラスとの界面箇所を経由させる際に、Ｓ２偏光イメージライトがＰ２偏光イメージライトに変換される。Ｐ２偏光イメージライトは第二ガラスを透過させ、人の目の方向に射出される。
【考案の効果】
【００１２】
上述したように、反射中間層は非常に薄く（約１０〜９５０ｎｍ）、このため、Ｐ１偏光イメージライト及びＰ２偏光イメージライトは人の目で見ると重畳して見える。第一半波シート及び中間層の屈折率が近付くため、界面箇所での反射率が低く、Ｓ偏光イメージライトが反射中間層を透過させる部分がＳ３偏光イメージライトとなる。Ｓ３偏光イメージライトは第一半波シートと中間層との界面箇所を透過させる際に、Ｓ３偏光イメージライトがＰ３偏光イメージライトに変換される。ブリュースター角の関係により、Ｐ３偏光イメージライトは中間層及び第一ガラスで０に近い反射率が得られる。Ｐ３偏光イメージライトは第一半波シートから中間層及び第一ガラスに射出され、入射角がブリュースター角付近になると発生する低反射及び偏光サングラスの視界が不鮮明になる現象、及び水滴の影響により画面が歪む問題が解決される。
【図面の簡単な説明】
【００１３】
【図１】従来の自動車のフロントガラスによるゴーストを示す概略図である。
【図２】半波シートによりＳ偏光イメージライトを搭載する概略図である。
【図３】半波シートによりＰ偏光イメージライトを搭載する概略図である。
【図４】雨天時、画像の歪みを示す概略図である。
【図５】本考案の第１実施形態を示す概略図である。
【図６】異なる入射角の反射率を示す概略図である。
【図７】本考案の第１実施形態を示す概略図（一）である。
【図８】本考案の第１実施形態を示す概略図（二）である。
【図９】本考案の第２実施形態を示す概略図（一）である。
【図１０】本考案の第２実施形態を示す概略図（二）である。
【考案を実施するための形態】
【００１４】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例】
【００１５】
（第１実施形態）
図５は本考案の第１実施形態に係るゴースト防止の反射装置を示す概略図であり、本考案の前記ゴースト防止の反射装置は、反射中間層１と、第一半波シート２と、第二半波シート３とを備える。
【００１６】
また、反射中間層１は、第一表面１１及び第二表面１２を有し、反射面を発生させるために使用される。いわゆる反射面とは、屈折率の高い層が屈折率の低い層に隣接させる透明媒質を指し、隣接し合う界面の第一表面１１及び第二表面１２では高い反射率が発生する。
例えば、反射中間層１は透明であり、且つ前記第一半波シート２及び前記第二半波シート３に対して屈折率がより高い層を有し、高い屈折率の層は二酸化チタン及び他の酸化金属が塗布される層である。或いは、反射中間層１は透明であり、且つ前記第一半波シート２及び前記第二半波シート３に対して屈折率のより低い層を有し、低い屈折率の層は空気である。
【００１７】
第一半波シート２はプラスチック材料であり、反射中間層１の第一表面１１上に設置される。第二半波シート３はプラスチック材料であり、反射中間層１の第二表面１２下に設置される。
【００１８】
さらに、本考案のゴースト防止の表示システムは、前記ゴースト防止の反射装置及び映像装置Ｄを備える。前記ゴースト防止の反射装置は第一ガラス５１と第二ガラス５２との間に設置され、前記第一ガラス５１及び前記第二ガラス５２は車両のフロントガラスであり、前記第二半波シート３の底面は粘着剤Ｍにより第二ガラス５２に貼付され、前記第一半波シート２の上面及び前記第一ガラス５１は中間層４を有し、前記中間層４はＰＶＢ材質である。前記映像装置Ｄは、Ｐ偏光イメージライトを投射させるために用いられる。
図６に示すように、入射角はブリュースター角の関係により、前記Ｐ偏光イメージライトは前記第二ガラス５２で０に近い反射率が得られ、前記Ｐ偏光イメージライトは前記第二ガラス５２を透過させ、前記Ｐ偏光イメージライトは前記第二半波シート３と前記反射中間層１の前記第二表面１２との界面箇所を経由させる際に、前記Ｐ偏光イメージライトがＳ偏光イメージライトに変換される。前記Ｓ偏光イメージライトは前記反射中間層１の前記第二表面１２で反射される部分がＳ１偏光イメージライトとなり、前記Ｓ１偏光イメージライトは前記第二半波シート３と前記第二ガラス５２との界面箇所を経由させる際に、前記Ｓ１偏光イメージライトがＰ１偏光イメージライトに変換される。前記Ｐ１偏光イメージライトは前記第二ガラス５２を透過させ、人の目Ｅの方向に射出される。前記Ｓ偏光イメージライトは前記反射中間層１の前記第一表面１１で反射される部分がＳ２偏光イメージライトとなり、前記Ｓ２偏光イメージライトは前記第二半波シート３と前記第二ガラス５２との界面箇所を経由させる際に、前記Ｓ２偏光イメージライトがＰ２偏光イメージライトに変換される。前記Ｐ２偏光イメージライトは前記第二ガラス５２を透過させ、人の目Ｅの方向に射出される。
前記反射中間層１が非常に薄いため（約１０〜９５０ｎｍ）、前記Ｐ１偏光イメージライト及び前記Ｐ２偏光イメージライトは人の目Ｅで見た場合に重畳して見える。前記第一半波シート３及び前記中間層４の屈折率が近付くため、界面箇所での反射率が低く、前記Ｓ偏光イメージライトは前記反射中間層１を透過させる部分がＳ３偏光イメージライトとなり、前記Ｓ３偏光イメージライトは前記第一半波シート２と前記中間層４との界面箇所を経由させる際に、前記Ｓ３偏光イメージライトがＰ３偏光イメージライトに変換される。ブリュースター角の関係により、前記Ｐ３偏光イメージライトは前記中間層４及び前記第一ガラス５１で０に近い反射率が得られる。前記Ｐ３偏光イメージライトが前記第一半波シート２から前記中間層４及び前記第一ガラス５１に射出され、入射角がブリュースター角付近になると発生する低反射及び偏光サングラスの視界が不鮮明になる現象、及び水滴の影響により画面が歪む問題が解決される。
【００１９】
また、前記第一半波シート２の上面は粘着剤Ｍにより前記第一ガラス５１に貼付される（図７参照）。或いは、前記ゴースト防止の反射装置が前記中間層４中に設置される（図８参照）。ブリュースター角の関係により、前記Ｐ偏光イメージライトの反射率が０に近づき、前記映像装置Ｄの投射結果が上述のようになる。
【００２０】
（第２実施形態）
図９は本考案の第２実施形態のゴースト防止の反射装置を示す概略図であり、前記ゴースト防止の反射装置は、前記反射中間層１と、前記第一半波シート２と、前記第二半波シート３と、前記中間層４とを備える。
【００２１】
本実施形態の第１実施形態との差異は、前記中間層４が前記第一半波シート２と前記反射中間層１との間に設置され、前記中間層４はＰＶＢ材質であり、前記中間層４が前記第三表面４１及び前記第四表面４２を有し、本実施形態における前記中間層４の前記第四表面４２が前記反射中間層１の第一表面１１上に設置される点である。
【００２２】
本考案に係るゴースト防止の表示システムは、ゴースト防止の反射装置及び映像装置Ｄを備える。前記ゴースト防止の反射装置は第一ガラス５１と第二ガラス５２との間に設置され、前記第二半波シート３の底面は粘着剤Ｍにより前記第二ガラス５２に貼付され、前記第一半波シート２の上面は粘着剤Ｍにより前記第一ガラス５１に貼付される。前記映像装置Ｄは、Ｐ偏光イメージライトを投射させるために用いられる。
図６に示すように、入射角がブリュースター角の関係により、前記Ｐ偏光イメージライトは前記第二ガラス５２で０に近い反射率が得られ、Ｐ偏光イメージライトは前記第二ガラス５２を透過させ、前記Ｐ偏光イメージライトは前記第二半波シート３と前記反射中間層１の前記第二表面１２との界面箇所を経由させる際に、前記Ｐ偏光イメージライトがＳ偏光イメージライトに変換される。前記Ｓ偏光イメージライトは前記反射中間層１の前記第二表面１２で反射される部分がＳ１偏光イメージライトとなり、前記Ｓ１偏光イメージライトは前記第二半波シート３と前記第二ガラス５２との界面箇所を経由させる際に、前記Ｓ１偏光イメージライトがＰ１偏光イメージライトに変換される。前記Ｐ１偏光イメージライトは前記第二ガラス５２を透過させ、人の目Ｅの方向に射出される。前記Ｓ偏光イメージライトは前記射中間層１の第一表面１１で反射される部分がＳ２偏光イメージライトとなり、前記Ｓ２偏光イメージライトは前記第二半波シート３と前記第二ガラス５２との界面箇所を経由させる際に、前記Ｓ２偏光イメージライトがＰ２偏光イメージライトに変換される。前記Ｐ２偏光イメージライトは前記第二ガラス５２を透過させ、人の目Ｅの方向に射出される。
前記反射中間層１が非常に薄いため（約１０〜９５０ｎｍ）、前記Ｐ１偏光イメージライト及び前記Ｐ２偏光イメージライトは人の目Ｅで見た場合に重畳して見える。前記Ｓ偏光イメージライトは前記反射中間層１を透過させる部分がＳ３偏光イメージライトとなり、前記第一半波シート３及び前記中間層４の屈折率が近付くため、界面箇所の反射率が低く、前記Ｓ３偏光イメージライトは前記中間層４で０に近い反射率が得られる。前記Ｓ３偏光イメージライトは前記中間層４を透過させ、前記Ｓ３偏光イメージライトは前記第一半波シート２と前記第一ガラス５１との界面箇所を透過させる際に、前記Ｓ３偏光イメージライトがＰ３偏光イメージライトに変換される。ブリュースター角の関係により、前記Ｐ３偏光イメージライトは前記第一ガラス５１で０に近い反射率が得られる。
前記Ｐ３偏光イメージライトは前記第一半波シート２から前記第一ガラス５１に射出され、入射角がブリュースター角付近になると発生する低反射及び偏光サングラスの視界が不鮮明になる現象、及び水滴の影響により画面が歪む問題が解決される。
【００２３】
なお、前記中間層４は第二半波シート３と反射中間層１との間に設置され、図１０に示すように、前記中間層４の第三表面４１は前記反射中間層１の前記第二表面１２下に設置される。ブリュースター角の関係により、Ｐ偏光イメージライトの反射率が０に近付き、映像装置Ｄの投射結果が上述のようになる。
【００２４】
このように、上述の構造により、２つの半波シート２及び半波シート３内に挟まれる反射中間層１が使用され、Ｐ偏光イメージライトが組み合わせられることにより、入射角がブリュースター角付近になると発生する低反射及び偏光サングラスの視界が不鮮明になる現象、及び水滴の影響により画面が歪む問題が解決される。
【００２５】
以上、本考案の実施形態について図面を参照して詳述したが、具体的な構成はこの実施形態に限られるものではなく、本考案の要旨を逸脱しない範囲の設計変更等も含まれる。
【符号の説明】
【００２６】
１  反射中間層
１１  第一表面
１２  第二表面
２  第一半波シート
３  第二半波シート
４  中間層
４１  第三表面
４２  第四表面  
５１  第一ガラス
５２  第二ガラス
Ｅ  人の目
Ｌ  光源
Ｄ  映像装置
Ｍ  粘着剤
Ｐ、Ｐ１、Ｐ２、Ｐ３  偏光イメージライト
Ｓ、Ｓ１、Ｓ２、Ｓ３  偏光イメージライト
【図１】
0003210903.tif 000003
【図２】
0003210903.tif 000004
【図３】
0003210903.tif 000005
【図４】
0003210903.tif 000006
【図５】
0003210903.tif 000007
【図６】
0003210903.tif 000008
【図７】
0003210903.tif 000009
【図８】
0003210903.tif 000010
【図９】
0003210903.tif 000011
【図１０】
0003210903.tif 000012
【手続補正書】
【提出日】平成29年4月6日(2017.4.6)
【手続補正１】
【補正対象書類名】実用新案登録請求の範囲
【補正対象項目名】全文
【補正方法】変更
【補正の内容】
【実用新案登録請求の範囲】
【請求項１】
第一表面及び第二表面を有し、反射面を発生させるための反射中間層と、
前記反射中間層の第一表面上に設置される第一半波シートと、
前記反射中間層の第二表面下に設置される第二半波シートと、を備えることを特徴とする、
ゴースト防止の反射装置。
【請求項２】
前記反射中間層は透明であり、且つ前記第一半波シート及び前記第二半波シートに対してより高い屈折率を有する層であることを特徴とする、請求項１に記載のゴースト防止の反射装置。
【請求項３】
前記反射中間層は透明であり、且つ前記第一半波シート及び前記第二半波シートに対してより低い屈折率を有する層であることを特徴とする、請求項１に記載のゴースト防止の反射装置。
【請求項４】
前記第一半波シートと前記反射中間層との間に設置される中間層を更に備えることを特徴とする、請求項１に記載のゴースト防止の反射装置。
【請求項５】
前記反射中間層と前記第二半波シートとの間に設置される中間層を更に備えることを特徴とする、請求項１に記載のゴースト防止の反射装置。
【請求項６】
中間層を備え、前記中間層内に、前記反射中間層と、前記第一半波シートと、前記第二半波シートと、が配置され、前記中間層は、前記反射中間層を挟みつけて固定するために、前記第一半波シートにおける前記反射中間層側の面と反対側の面と、前記第二半波シートにおける前記反射中間層側の面と反対側の面と、に接することを特徴とする、請求項１に記載のゴースト防止の反射装置。
【請求項７】
ゴースト防止の反射装置と、映像装置を具備するゴースト防止の表示システムであって、
前記ゴースト防止の反射装置は、第一表面及び第二表面を有し、反射面を発生させるために用いられる反射中間層と、前記反射中間層の第一表面上に設置される第一半波シートと、前記反射中間層の第二表面下に設置される第二半波シートとを含み、且つ前記ゴースト防止の反射装置は、第一ガラスと第二ガラスとの間に設置され、前記第一ガラス及び前記第二ガラスは車両のフロントガラスであり、
映像装置は、Ｐ偏光イメージライトを投射することに用いられ、
前記Ｐ偏光イメージライトが前記第二半波シートと前記反射中間層の第二表面との界面箇所を経由させる際に、前記Ｐ偏光イメージライトがＳ偏光イメージライトに変換され、前記Ｓ偏光イメージライトは前記反射中間層の前記第二表面で反射される部分がＳ１偏光イメージライトとなり、前記Ｓ１偏光イメージライトが前記第二半波シートと前記第二ガラスとの界面箇所を経由させる際に、前記Ｓ１偏光イメージライトがＰ１偏光イメージライトに変換され、前記Ｐ１偏光イメージライトが前記第二ガラスを透過させ、人の目の方向に射出され、前記Ｓ偏光イメージライトは前記反射中間層の第一表面で反射される部分がＳ２偏光イメージライトとなり、前記Ｓ２偏光イメージライトが前記第二半波シートと前記第二ガラスとの界面箇所を経由させる際に、前記Ｓ２偏光イメージライトがＰ２偏光イメージライトに変換され、前記Ｐ２偏光イメージライトが前記第二ガラスを透過させ、人の目の方向に射出される映像装置から投射されることを特徴とする、
ゴースト防止の表示システム。
【請求項８】
前記ゴースト防止の反射装置は、前記第一半波シートと前記反射中間層との間に設置される中間層を更に備えることを特徴とする、請求項７に記載のゴースト防止の表示システム。
【請求項９】
前記ゴースト防止の反射装置は、前記反射中間層と前記第二半波シートとの間に設置される中間層を更に備えることを特徴とする、請求項７に記載のゴースト防止の表示システム。
【請求項１０】
前記ゴースト防止の反射装置は中間層を備え、前記中間層内に、前記反射中間層と、前記第一半波シートと、前記第二半波シートと、が配置され、前記中間層は、前記反射中間層を挟みつけて固定するために、前記第一半波シートにおける前記反射中間層側の面と反対側の面と、前記第二半波シートにおける前記反射中間層側の面と反対側の面と、に接することを特徴とする、請求項７に記載のゴースト防止の表示システム。
【手続補正２】
【補正対象書類名】明細書
【補正対象項目名】００１９
【補正方法】変更
【補正の内容】
【００１９】
また、前記第一半波シート２の上面は粘着剤Ｍにより前記第一ガラス５１に貼付される（図７参照）。或いは、前記ゴースト防止の反射装置が前記中間層４を備え、前記中間層４内に、前記反射中間層１と、前記第一半波シート２と、前記第二半波シート３と、が配置され、前記中間層４は、前記反射中間層１を挟みつけて固定するために、前記第一半波シート２における前記反射中間層１側の面と反対側の面と、前記第二半波シート３における前記反射中間層１側の面と反対側の面と、に接する（図８参照）。ブリュースター角の関係により、前記Ｐ偏光イメージライトの反射率が０に近づき、前記映像装置Ｄの投射結果が上述のようになる。